(57)【要約】      （修正有）【課題】圧力伝送器の校正時に、印加圧力を確実に目標値に合わせることが可能となり、作業を簡便化させることができ、プラントの圧力伝送器のデータ管理、寿命判断を自動で行うことができ、効率よく作業を行うことができる校正装置を提供する。【解決手段】基準器として用いるデジタルマノメータ２０１にコミュニケータ機能を内蔵させ、校正される圧力伝送器１０２の出力を自動的に取り込み、誤差を算出、表示させる。さらに、圧力伝送器１０２の稼働時間を読み込み、寿命の診断を行う。【選択図】図２
2014032095.tif 000002
【特許請求の範囲】
【請求項１】
基準器として用いるデジタルマノメータにコミュニケータ機能を内蔵させ、さらに自動校正機能を持たせることを特徴とする圧力伝送器自動校正機能付きデジタルマノメータ。
【請求項２】
請求項１において、圧力伝送器との通信により、校正される圧力伝送器の基準レンジを読み取り、校正点の算出、表示することを自動で行うことを特徴とする圧力伝送器自動校正機能付きデジタルマノメータ。
【請求項３】
請求項１において、あらかじめ設定された特性確認点を表示し、印加圧力が目標値の精度内に一定時間保たれた場合に、圧力伝送器の出力をデータとして自動で取り込み、誤差を算出、表示することが出来ることを特徴とする圧力伝送器自動校正機能付きデジタルマノメータ。
【請求項４】
請求項１において、圧力伝送器との通信により、校正される圧力伝送器の稼働時間を読み取り、記録することが出来ることを特徴とする圧力伝送器自動校正機能付きデジタルマノメータ。
【請求項５】
請求項１において、圧力伝送器との通信により、校正される圧力伝送器の稼働時間を読み取り、製品寿命診断が出来ることを特徴とする圧力伝送器自動校正機能付きデジタルマノメータ。
【発明の詳細な説明】
【技術分野】
【０００１】
本発明は、本発明は、圧力伝送器の校正に用いるデジタルマノメータの技術に関するものである。
【背景技術】
【０００２】
プラントに設置された圧力伝送器の校正作業では、従来、基準器となるデジタルマノメータで印加圧力を確認し、コミュニケータを操作して校正する方法が用いられていた。図１は圧力伝送器の校正作業の構成を表した図である。デジタルマノメータ101、圧力伝送器102、圧力印加装置103、コミュニケータ104、圧力配管105、通信ケーブル106から構成される。
【先行技術文献】
【特許文献】
【０００３】
【特許文献１】特開2010-85326号公報
【発明の概要】
【発明が解決しようとする課題】
【０００４】
プラントに設置された圧力伝送器の校正作業では、従来、基準器となるデジタルマノメータで印加圧力を確認し、コミュニケータを操作して校正を行っていた。つまり、印加圧力を一定に保ちながら、コミュニケータを操作するという2つの作業を同時に行わなければならなかった。印加圧力を校正点で一定に保ちながらコミュニケータを操作することは、作業が煩雑であり、圧力リークや配管の体積変化等により、印加圧力に目標値とのずれが生じてしまい、誤った点を校正点としてしまう校正ミスの要因となる可能性があった。また、プラントには圧力伝送器が数多く設置されており、各伝送器の特性データを取得し整理することは、非常に労力のかかる作業であった。
【課題を解決するための手段】
【０００５】
上記課題を解決するため、基準器となるデジタルマノメータにコミュニケータ機能を内蔵させ、さらに自動校正機能を持たせることにより、デジタルマノメータと圧力伝送器間で通信を行い、圧力伝送器の基準レンジ、稼働時間情報等を読み取り、デジタルマノメータに保存する。校正の際には、基準レンジから校正点の算出、表示を自動で行い、印加圧力が校正点の精度内に一定時間保たれた場合、デジタルマノメータから圧力伝送器に校正信号を送信し、自動で圧力伝送器を校正させる。校正前、校正後の特性確認を行う際には、あらかじめ設定された特性確認点を表示し、印加圧力が目標値の精度内に一定時間保たれた場合に、圧力伝送器の出力をデータとして自動で取り込み、誤差を算出し、デジタルマノメータに表示させる。取り込まれたデータは、デジタルマノメータに保存され、校正前の特性確認データ、校正後の特性確認データとしてパソコンに取り込み、データベース化することを可能とさせる。さらに、稼動時間と誤差のデータから、寿命診断を行うことができ、寿命診断結果を圧力伝送器にフィードバックし、記録させることで、次回の定期検査時にコミュニケータや圧力伝送器本体表示に表示させることを可能とする。
【発明の効果】
【０００６】
本発明によれば、圧力伝送器の校正時に、印加圧力を確実に目標値に合わせることが可能となり、作業を簡便化させることができる。また、プラントの圧力伝送器のデータ管理、寿命判断を自動で行うことができ、効率よく作業を行うことができる。
【図面の簡単な説明】
【０００７】
【図１】従来における圧力伝送器の校正作業の構成を説明した図
【図２】自動校正機能付きデジタルマノメータを用いた圧力伝送器の校正作業の構成を説明した図
【図３】圧力伝送器の取得データをデジタルマノメータによって収集し、パソコンに取り込み、データベース化する様子を説明した図
【発明を実施するための形態】
【０００８】
以下、図面を参照して本発明の実施例を説明する。
【０００９】
図2は、本発明の圧力伝送器の校正作業の構成を示したものである。圧力印加装置103から発生した圧力は、圧力伝送器102、デジタルマノメータ201に等しく印加されるように接続される。デジタルマノメータ201と圧力伝送器102間で通信を行い、圧力伝送器102の基準レンジ、稼働時間情報等を読み取り、デジタルマノメータ201に保存する。校正の際には、基準レンジから校正点の算出、表示を自動で行い、印加圧力が校正点で精度内に一定時間に保たれた場合、デジタルマノメータ201から圧力伝送器102に校正信号を送信し、自動で圧力伝送器102を校正させる。
【００１０】
校正前、校正後の圧力伝送器102の特性確認試験においては、あらかじめ設定された特性確認点を表示し、印加圧力が目標値の精度内に一定時間保たれた場合に、圧力伝送器の出力をデータとして自動で取り込み、誤差を算出し、デジタルマノメータ201に表示させる。
【００１１】
取り込まれたデータは、デジタルマノメータ201に保存され、図３のように校正前の特性確認データ、校正後の特性確認データとしてパソコン301に取り込み、取得データの表302や取得データのグラフ303としてデータベース化することを可能とさせる。
【００１２】
さらに、稼動時間と誤差のデータから、寿命判断を行うことができ、プラントの伝送器の管理を簡便化させることができる。また、製品寿命診断結果を圧力伝送器に送信し、圧力伝送器にフィードバックし、記録させることで、次回の定期検査時にコミュニケータや圧力伝送器本体表示に寿命診断結果を表示させることで、作業者に注意を促すことができる。
【符号の説明】
【００１３】
101・・・デジタルマノメータ、102・・・圧力伝送器、103・・・圧力印加装置、
104・・・コミュニケータ、105・・・圧力配管、106・・・通信ケーブル
201・・・自動校正機能付きデジタルマノメータ
301.・・・パソコン、302・・・取得データの表、303・・・取得データのグラフ
【図１】
2014032095.tif 000003
【図２】
2014032095.tif 000004
【図３】
2014032095.tif 000005